(57)【要約】【課題】簡便且つ廉価な構成で、エネルギー消費量が少なくしかも上腕の圧迫を迅速に行うことのできる血圧計を提供する。【解決手段】血圧計１０は、筒状の挿入部を有するハウジング３０と、該挿入部の内側に設けられた第１空気袋３２と、第１空気袋３２の内側で渦形状に丸められて設けられ、弾性的可撓性により拡径可能な支持帯３４と、支持帯３４の内側に設けられ、中に挿入された被測定者の上腕を圧迫する第２空気袋３６と、第１空気袋３２及び第２空気袋３６に対して空気を給気する加圧手段１８とを有する。血圧計測開始の初期時で第１空気袋３２及び第２空気袋３６が非加圧状態のときに、支持帯３４は第２空気袋３６を介して中に上腕が挿入されることによって拡径される。【選択図】図３
2010213959.tif 000002
【特許請求の範囲】
【請求項１】
被測定者の上腕が挿入される筒状の挿入部を有するハウジングと、
前記挿入部の内側に設けられた第１空気袋と、
前記第１空気袋の内側で渦形状に丸められて設けられ、弾性的可撓性により拡径可能な支持帯と、
前記支持帯の内側に設けられ、中に挿入された被測定者の上腕を圧迫する第２空気袋と、
前記第１空気袋及び前記第２空気袋に対して空気を給気する加圧手段と、
を有し、
血圧計測開始の初期時で前記第１空気袋及び前記第２空気袋が非加圧状態のときに、前記支持帯は、前記第２空気袋を介して中に上腕が挿入されることによって拡径されることを特徴とする血圧計。
【請求項２】
請求項１記載の血圧計において、
前記初期時における前記支持帯の内径は、５０ｍｍ〜８０ｍｍであることを特徴とすることを特徴とする血圧計。
【請求項３】
請求項１又は２記載の血圧計において、
前記加圧手段は、加圧ポンプと、
前記加圧ポンプから前記第１空気袋又は前記第２空気袋へ流路を切り換える切換バルブと、
前記第１空気袋に連通する流路に設けられた第１排気バルブと、
前記第２空気袋に連通する流路に設けられた第２排気バルブと、
を有することを特徴とする血圧計。
【請求項４】
請求項３記載の血圧計において、
前記加圧ポンプと前記切換バルブとを接続する連通路の圧力を検出する圧力センサを有することを特徴とする血圧計。
【請求項５】
請求項１〜４のいずれか１項に記載の血圧計において、
前記第２空気袋の圧力値に基づきオシロメトリック方式によって血圧を求めることを特徴とする血圧計。
【発明の詳細な説明】
【技術分野】
【０００１】
本発明は、筒状のハウジングと、ハウジング内に設けられ、中に挿入された被測定者の上腕を圧迫する空気袋と、空気袋に対して空気を給気する加圧手段とを有する血圧計に関する。
【背景技術】
【０００２】
健康管理のため日常的に血圧を計測することができるように、家庭用の血圧計が普及しつつある。家庭用の血圧計は、血圧を正確に計測するだけではなく、操作方法が簡単で、廉価且つコンパクトであることが望ましい。
【０００３】
アームイン式の血圧計（例えば、特許文献１）では、上腕を挿入して所定のボタン操作をするだけで自動的に血圧を計測することができることから家庭用に好適である。
【０００４】
血圧計における血圧計測方法には主にコロトコフ方式とオシロメトリック方式がある。コロトコフ方式では空気袋にコロトコフ音（以下、Ｋ音ともいう。）を検出するセンサを設け、空気袋の圧力状態とＫ音の発生及び消滅に基づいて血圧値（最高血圧及び最低血圧）を求める。コロトコフ方式は、血圧値を高い精度で求めることができるとともにセンサを上腕に密着させてＫ音を検出することから空気袋の容量の影響がないという特徴があるが、反面、周囲の騒音及び振動の影響を受ける。
【０００５】
オシロメトリック方式は、空気袋の圧力状態と該空気袋の振動脈波の変動状態に基づいて血圧値を求める。オシロメトリック方式では、センサの位置は空気袋に連通している箇所ならどこにでも配置可能であるとともに周囲の騒音や振動の影響が少ないという特徴があるが、反面、空気袋の容量が大きいと圧力変動が生じにくく、計測誤差が大きくなる。すなわち、コロトコフ方式及びオシロメトリック方式はそれぞれ長所と短所を有している。
【先行技術文献】
【特許文献】
【０００６】
【特許文献１】特許第３８２６９３８号公報
【発明の概要】
【発明が解決しようとする課題】
【０００７】
アームイン式の血圧計（すなわち、血圧を測定するために空気袋を上腕に巻き付ける必要のない方式）では、太い上腕に対しても計測可能であるように筒状のハウジングは適度に大径に設定されている。一方、細い上腕に対しても計測が可能であるように内部の空気袋は内径側に向かって十分に膨張可能な構成となっている。
【０００８】
ところが、このように十分な膨張を可能にするためには、空気袋の容量を大きくする必要があり、オシロメトリック方式では計測精度が低下する。このため、空気袋の容量を小さくするために螺旋状の空気袋を巻き取る巻取機構を備える血圧計が実用化されているが、巻取機構の存在により複雑化、大型化及び製品価格の高騰が避けられない。
【０００９】
特許文献１記載の血圧計では、空気袋を２層化し、その間に伸縮可能な円筒状の可撓性部材を設けておき、外層の可撓性部材圧迫用流体袋を膨張させることによって可撓性部材を縮径させ、その後に内層の生体圧迫用空気袋によって生体を圧迫する構成となっている。このような血圧計によれば、空気袋を巻き取る巻取機構が不要であって、簡便で廉価な血圧計が得られる。
【００１０】
しかしながら、特許文献１記載の血圧計では、２層の空気袋の間に設けられた可撓性部材は、外層の可撓性部材圧迫用流体袋によって縮径されるのであって、初期状態においては太い上腕が触れない程度に大径に設定されている。従って、可撓性部材圧迫用流体袋は可撓性部材を縮径させるだけの圧力が必要である。しかも、縮径するに従ってその圧力も比例的に増加することから、細い上腕の場合には可撓性部材が上腕に接触した時点の圧力の上昇を検出しづらい。
【００１１】
また、可撓性部材圧迫用流体袋は可撓性部材を縮径させる分だけエネルギー消費量が大きく、しかも加圧に時間がかかる。
【００１２】
さらに、図１０に示すように、可撓性部材９００は、可撓性部材圧迫用流体袋９０２によって縮径されるときにその端部９０４が外径側に突出気味となり、隙間９０５が生じ、可撓性部材圧迫用流体袋９０２に干渉する懸念がある。
【００１３】
本発明はこのような課題を考慮してなされたものであり、簡便且つ廉価な構成で、エネルギー消費量が少なくしかも上腕の圧迫を迅速に行うことのできる血圧計を提供することを目的とする。
【課題を解決するための手段】
【００１４】
本発明に係る血圧計は、被測定者の上腕が挿入される筒状の挿入部を有するハウジングと、前記挿入部の内側に設けられた第１空気袋と、前記第１空気袋の内側で渦形状に丸められて設けられ、弾性的可撓性により拡径可能な支持帯と、前記支持帯の内側に設けられ、中に挿入された被測定者の上腕を圧迫する第２空気袋と、前記第１空気袋及び前記第２空気袋に対して空気を給気する加圧手段とを有し、血圧計測開始の初期時で前記第１空気袋及び前記第２空気袋が非加圧状態のときに、前記支持帯は、前記第２空気袋を介して中に上腕が挿入されることによって拡径されることを特徴とする。
【００１５】
このように、中に上腕を挿入することによって支持帯が弾性的に拡径されることから、その状態において支持帯が単独で上腕を軽く圧迫していることになり、第１空気袋における加圧を迅速に行うことができ、エネルギー消費量も小さい。
【００１６】
前記初期時における前記支持帯の内径は、５０ｍｍ〜８０ｍｍであるとよい。
【００１７】
前記加圧手段は、加圧ポンプと、前記加圧ポンプから前記第１空気袋又は前記第２空気袋へ流路を切り換える切換バルブと、前記第１空気袋に連通する流路に設けられた第１排気バルブと、前記第２空気袋に連通する流路に設けられた第２排気バルブとを有してもよい。このような切換バルブを設けることにより加圧ポンプを第１空気袋及び第２空気袋に共用可能となる。また、第１排気バルブと第２排気バルブとを設けることにより、第１空気袋と第２空気袋を個別に減圧可能となり、オシロメトリック方式に適切な減圧をすることができる。
【００１８】
前記加圧ポンプと前記切換バルブとを接続する連通路の圧力を検出する圧力センサを有してもよい。このような配置により、１つの圧力センサで第１空気袋の圧力と第２空気袋の圧力を切り換えて計測可能となる。
【００１９】
前記第２空気袋の圧力値に基づきオシロメトリック方式によって血圧を求めるとよい。
【発明の効果】
【００２０】
本発明に係る血圧計によれば、中に上腕を挿入することによって支持帯が弾性的に拡径されることから、その状態において支持帯が単独で上腕を軽く圧迫していることになり、第１空気袋における加圧を迅速に行うことができ、エネルギー消費量も小さい。第２空気袋は支持帯によって挟持されていることから、その後の膨張量は小さくて済み、容量を低減して圧力センサの信号を検出しやすい。
【図面の簡単な説明】
【００２１】
【図１】本実施の形態に係る血圧計の斜視図である。
【図２】本実施の形態に係る血圧計の正面図である。
【図３】本実施の形態における腕帯の分解斜視図である。
【図４】展開した状態の第１空気袋の分解斜視図である。
【図５】上腕を挿入した状態の腕帯の断面正面図である。
【図６】本実施の形態における本体のブロック構成図である。
【図７】血圧計測の手順を示すフローチャート（その１）である。
【図８】血圧計測の手順を示すフローチャート（その２）である。
【図９】第１空気袋の内圧変化を示すグラフである。
【図１０】従来技術に係る血圧計において外層側空気袋により可撓性部材を縮径させる様子を示す模式図である。
【発明を実施するための形態】
【００２２】
以下、本発明に係る血圧計について実施の形態を挙げ、添付の図１〜図９を参照しながら説明する。
【００２３】
図１及び図２に示すように、本実施の形態に係る血圧計１０は、いわゆるアームイン式であって、被測定者の上腕が挿入される腕帯（カフ又はマンシェットとも呼ばれる。）１２と、該腕帯１２を支持する本体１６とを有する。血圧計１０は卓上型であって、商用交流電源又は電池（二次電池を含む。）によって駆動される。図１及び図２では腕帯１２が視認されるように布カバー３８を省略している。
【００２４】
本体１６は、被測定者の上腕が挿入される筒状の挿入部を有するハウジング３０と、腕帯１２に対して空気を給気及び排気する加圧手段１８と、被測定者の血圧を計測する制御部２０と、制御部２０によって求められた血圧を表示する表示部２２と、操作ボタン２４とを有する。
【００２５】
ハウジング３０は、例えば、重さが３５０ｇ程度、外径が１４０ｍｍ程度、内径が１３５ｍｍ程度である。ハウジング３０は本体１６（加圧手段１８、制御部２０、表示部２２、操作ボタン２４）と別体であってもよい。
【００２６】
図３に示すように、腕帯１２はハウジング３０の挿入部の内側に配置される。腕帯１２は、ハウジング３０の挿入部の内側に設けられた第１空気袋３２（エアバッグ又はブラダーとも呼ばれる。第２空気袋３６も同様である。）と、第１空気袋３２の内側で渦形状に丸められて設けられ、弾性的可撓性により拡径可能な支持帯３４と、支持帯３４の内側に設けられ、中に挿入された被測定者の上腕を圧迫する第２空気袋３６と、これらの部材が露呈されないように覆う柔軟な布カバー３８とを有する。布カバー３８は、軸方向及び周方向に伸縮可能なストレッチ素材で形成されている。布カバー３８は、筒形状のカバー本体と、該カバー本体の両端に設けられたリング状の２つのフレームとを有する。
【００２７】
図１及び図２に示すように、腕帯１２は、ハウジング３０内に第１空気袋３２、支持帯３４及び第２空気袋３６を配置した状態で、更に、ハウジング３０内に布カバー３８を挿入して、ハウジング３０の両端（挿入部の挿入口及び挿出口）に布カバー３８のフレームを嵌合することにより組み立てられている。
【００２８】
支持帯３４は、例えば薄い樹脂板であって、板材としての曲げ方向の弾性的可撓性により拡径可能であるが、可撓性以外には伸びや歪みが生じにくい硬質材である。従って、支持帯３４は、第１空気袋３２と第２空気袋３６との間で圧力変動が相互に伝達されたり、圧力変動を減衰させたりすることのない圧力隔離作用を奏する。
【００２９】
支持帯３４は、外力のない状態において渦形状に丸まった形状となっており、血圧計測開始の初期時で第１空気袋３２及び第２空気袋３６が非加圧状態のときに、第２空気袋３６を介して中に上腕が挿入されることによって拡径される。被測定者の上腕が細いときには僅かに拡径され、太いときには大きく拡径されることになる。
【００３０】
支持帯３４は、太い上腕の場合はもちろん、細い上腕であっても適度に巻き付くことができるように内径Ｄが５０ｍｍ〜８０ｍｍとなるように設定されている。内径が８０ｍｍ以下に設定されていることにより、細い上腕が挿入された場合にも適度に拡径され、該上腕に接触することができ、５０ｍｍ以上に設定されていることにより、太い上腕であっても挿入しやすい。
【００３１】
第１空気袋３２及び第２空気袋３６は、第１チューブ１４ａ及び第２チューブ１４ｂによって加圧手段１８に接続されており、給気及び排気がなされ、中に挿入された被測定者の上腕を全周にわたって圧迫するように環状になっている。
【００３２】
以下、腕帯１２及びその構成要素の説明については、上腕が挿入される縦方向をＸ方向、ハウジング３０の周に沿う方向をＹ方向とする。腕帯１２で、被測定者が上腕を挿入したとき、肘に近い側をＸ１側、肩に近い側をＸ２側とする。腕帯１２について上腕の挿入方向を理解しやすくするため、例えばＸ１方向側をやや細くしてもよい。
【００３３】
図４に示すように、第１空気袋３２は、樹脂シート４０と、４本のＸベルポーレン４４ａと、１本のＹベルポーレン４４ｂ、第１のチューブ１４ａに接続されるノズル５０とを有する。樹脂シート４０は、例えば幅１２０ｍｍ程度、長さ４２０ｍｍ程度の透明なウレタンシートである。Ｘベルポーレン４４ａ及びＹベルポーレン４４ｂは、例えば発泡ポリエチレンの薄板である。Ｘベルポーレン４４ａの重さは例えば２ｇ程度、Ｙベルポーレン４４ｂの重さは例えば１０ｇ程度である。
【００３４】
樹脂シート４０は、中央部でＹ方向の屈曲線４８において２つ折りにして周囲が溶着されて袋状となり、第１空気袋３２のベース体を形成する。樹脂シート４０において、内周側となる部分（図４において屈曲線４８よりもＸ１側）を内周面４０ａとし、外周側となる部分（図４において屈曲線４８よりもＸ２側）を外周面４０ｂとする。内周面４０ａの端部には、外周面４０ｂに対して折り返す折り代４０ｃが設けられている。
【００３５】
第２空気袋３６についての詳細な説明は省略するが、第１空気袋３２におけるベルポーレン４４ａ、４４ｂを省略して構成することができる。後述するように第２空気袋３６は第１空気袋３２と比較して小容量でよい。
【００３６】
図５に示すように腕帯１２では、第１空気袋３２の外周面４０ｂはハウジング３０の内周面（上記の通り内径１３５ｍｍ程度）に固定されており、それ以上外側に広がることはない。第１空気袋３２の内周面４０ａは、加圧ポンプ７８から加圧されることによって内側に向かって移動することになり、第１空気袋３２としては縮径することになる。第１空気袋３２は空気が供給されることにより、内径側に向かって適度に加圧膨張して支持帯３４を保持することができる。
【００３７】
血圧計１０の腕帯１２では面ファスナーにより上腕へ腕帯を巻き付ける方式と異なり、上腕に計測帯を巻き付ける必要がなく、該腕帯１２に上腕を挿入するだけでよい。一方、上腕の太さは被測定者によって相当に異なることから、支持帯３４を支持するための第１空気袋３２の膨張量は十分に確保されている。
【００３８】
図６に示すように、制御部２０は血圧計１０の全体を統合的に制御する部分であって、ＣＰＵ６０がベースとなって構成されており、Ａ／Ｄ変換器６６と、ポンプドライバ６８と、第１排気バルブドライバ７０と、第２排気バルブドライバ７２と、切換バルブドライバ７４と、記憶部７６とを有する。
【００３９】
加圧手段１８は、加圧ポンプ７８、第１排気バルブ８０、第２排気バルブ８２、流路切換バルブ８４及び圧力センサ８６等から構成されている。Ａ／Ｄ変換器６６は、圧力センサ８６のアナログ信号をデジタル値に変換してＣＰＵ６０に供給する。ポンプドライバ６８、第１排気バルブドライバ７０、第２排気バルブドライバ７２、切換バルブドライバ７４は、ＣＰＵ６０の作用下に加圧ポンプ７８、第１排気バルブ８０、第２排気バルブ８２及び流路切換バルブ８４の制御をする。第２排気バルブ８２は、第２空気袋３６の内圧Ｐ２を徐々に減圧可能なように開口度合いの制御が可能である。第１排気バルブ８０は、第２排気バルブ８２と同じものを用いてもよいが、オン・オフ的なバルブでもよい。
【００４０】
流路切換バルブ８４は、加圧ポンプ７８から供給される空気を第１チューブ１４ａ又は第２チューブ１４ｂに切り換えて送気し、第１空気袋３２及び第２空気袋３６を個別に加圧することができる。第１排気バルブ８０は第１チューブ１４ａに連通する管路に接続され、第２排気バルブ８２は第２チューブ１４ｂに連通する管路に接続されており、第１空気袋３２及び第２空気袋３６から個別に排気することができる。
【００４１】
加圧ポンプ７８及び圧力センサ８６は、流路切換バルブ８４よりも上流側の管路に設けられて第１空気袋３２及び第２空気袋３６で共用されるので、部品点数が多くならない簡便構成である。
【００４２】
記憶部７６は、ＣＰＵ６０のプログラム、変数及び血圧計測値等を記憶する部分であり、ＲＯＭ、ＲＡＭ及びフラッシュメモリ等を含む。
【００４３】
ＣＰＵ６０は、ソフトウェア処理部として、圧力センサ８６を通して得られた脈波成分に基づいてオシロメトリック方式によって血圧を求める演算部８７と、血圧計測の動作手順を規定するシーケンス部８８と、演算部８７によって求められた血圧値の評価をする結果判断部９０とを有する。
【００４４】
結果判断部９０は、演算部８７によって求められた血圧値の適否を判断し、正常であればその値を表示部２２に表示させる。ここで、正常とは、健康状態のバロメータとしてではなく信号状態の適否であることはもちろんである。結果判断部９０は、演算部８７によって求められた血圧値が正常でないときには、所定のエラー表示をする。
【００４５】
結果判断部９０は、血圧値の適否として、例えば、脈が弱く、脈波の認識が行えず血圧を決定できない状況となっていないかの判断を行えばよい。
【００４６】
シーケンス部８８は、操作ボタン２４の操作に基づいて各部の動作を制御する。概略的には、操作ボタン２４によって血圧計測の開始操作がなされると、加圧ポンプ７８及び流路切換バルブ８４を制御して圧力センサ８６の信号を監視しながら第１空気袋３２及び第２空気袋３６を加圧する。その後、第２排気バルブ８２を制御して第２空気袋３６を減圧させ、さらに第１排気バルブ８０を開放して第１空気袋３２を減圧させる。
【００４７】
シーケンス部８８は、操作ボタン２４の操作を監視し、血圧の計測中において所定の中断操作がなされたときには対応する所定の処理を行う。また、所定の操作に基づいて、脈拍値や過去の計測値等の表示制御を行う。シーケンス部８８は、図７に示す手順の制御を行う。
【００４８】
次に、このように構成される血圧計１０の作用について説明する。血圧計１０は、初期状態では第１排気バルブ８０及び第２排気バルブ８２は開放され、第１空気袋３２及び第２空気袋３６は非加圧状態である。
【００４９】
まず、被測定者は図５に示すように腕帯１２に上腕Ａを挿入する。初期時における支持帯３４の内径Ｄは、５０ｍｍ〜８０ｍｍであることから（図５の仮想線参照）、腕帯１２の中に上腕が挿入されることによって、支持帯３４は第２空気袋３６を介して拡径されることになる。この状態では阻血されることがないように支持帯３４は適度に柔らかい。
【００５０】
また、第２空気袋３６は支持帯３４と上腕によって挟持され、弾性付勢されており、実質的に体積が０となっている。仮に第２空気袋３６に空気が多少残っている場合にも第２排気バルブ８２から排出される。
【００５１】
図５から明らかなように、支持帯３４は拡径されることから、全周的に曲率が小さくなり、その端部３４ａは内径側に押し付け気味となって、隙間はなく、第１空気袋３２に対して干渉する懸念がない。次いで、被測定者が操作ボタン２４の操作をすることによって制御部２０の作用下に血圧の計測が開始される。
【００５２】
図７のステップＳ１において、第１排気バルブ８０及び第２排気バルブ８２を閉状態とする。
【００５３】
ステップＳ２において、流路切換バルブ８４の送気先を第１チューブ１４ａ側に設定する。
【００５４】
ステップＳ３において、加圧ポンプ７８を駆動して第１空気袋３２に給気する。
【００５５】
ステップＳ４において、制御部２０は圧力センサ８６の信号により第１空気袋３２及び第１チューブ１４ａに加わる内圧Ｐ１を監視する。このとき、支持帯３４は上腕に弾性的に巻き付けられており、第１空気袋３２には何らの外力も作用していないことから、該第１空気袋３２の給気に要するエネルギーは小さく、図９に示すように、その内圧Ｐ１はしばらくの間は実質的に０である。
【００５６】
ステップＳ５において、内圧Ｐ１を監視しながら第１空気袋３２への加圧の終了判断を行う。すなわち、第１空気袋３２が膨張して支持帯３４との間に隙間がなくなると内圧Ｐ１は急速に上昇するので、これを検出することによって第１空気袋３２の加圧を終了してステップＳ６へ移る。加圧を継続する場合にはステップＳ４へ戻る。図９から明らかなように、内圧Ｐ１は急速且つ大幅な上昇を示すことから、ステップＳ５の判断を行いやすい。
【００５７】
ステップＳ６において、流路切換バルブ８４の送気先を第２チューブ１４ｂ側に切り換え、第２空気袋３６への給気を開始する。これにより第１空気袋３２への給気は終了し、支持帯３４が安定して保持されることになる。
【００５８】
ステップＳ７において、圧力センサ８６の信号により第２空気袋３６及び第２チューブ１４ｂに加わる内圧Ｐ２を監視する。圧力センサ８６は、流路切換バルブ８４の切換によって自動的に第２チューブ１４ｂ側の圧力を検出することになり、検出信号の切換処理は実質的に不要である。
【００５９】
ステップＳ８において、内圧Ｐ２を監視しながら第２空気袋３６への加圧の終了判断を行う。すなわち、第２空気袋３６が膨張しようとすると支持帯３４との間には隙間がほとんどないので内圧Ｐ２は即時に上昇するので、所定の阻血圧力まで上昇したことを確認しステップＳ９へ移る。第２空気袋３６への加圧を継続するときにはステップＳ７へ戻る。
【００６０】
このように、第２空気袋３６は支持帯３４によって軽くつぶされた状態から膨張をするのでその膨張量は十分に小さく、第２空気袋３６は小容量でよい。
【００６１】
ステップＳ９において、加圧ポンプ７８による加圧を終了する。流路切換バルブ８４は第２チューブ１４ｂ側に維持しておく。これにより、圧力センサ８６によって第２空気袋３６の内圧Ｐ２を継続的に検出可能である。
【００６２】
ステップＳ１０において、第２排気バルブ８２を適度に開き、該第２空気袋３６を２〜５ｍｍＨｇ／ｓｅｃ程度に減圧する。安定した計測状態を得るために、第２空気袋３６は略定速の減圧とする。
【００６３】
図８のステップＳ１１において、演算部８７は圧力センサ８６から得られる脈波の大きさを検出する。このとき、第２空気袋３６は十分に小容量であってしかも支持帯３４の隔離作用によって内圧Ｐ２が第１空気袋３２に伝搬することがなく、動脈が開いて脈波が発生するときには、該脈波は圧力センサ８６に伝達されやすい。
【００６４】
ステップＳ１２において、演算部８７は、脈波振幅が急激に増大することに基づいて、最高血圧値を仮に決定する。脈波が発生しない又は十分小さいときにはステップＳ１１へ戻る。
【００６５】
脈波振幅は更に増大していきピークをむかえる。この圧力は平均血圧である。以降、脈波振幅は減少していくがある圧力になると急激に脈波振幅が減少する。
【００６６】
ステップＳ１３において、演算部８７は、脈波が急激に減少することに基づいて、最低血圧値を仮に決定する。脈波が減少していないときにはステップＳ１１へ戻る。
【００６７】
ステップＳ１４において、第１排気バルブ８０及び第２排気バルブ８２を開き、第１空気袋３２及び第２空気袋３６から排気し、内圧Ｐ１及びＰ２をそれぞれ０にする。第２空気袋３６は支持帯３４によって弾性的に押圧され迅速な排気が可能である。
【００６８】
ステップＳ１５において、結果判断部９０がステップＳ１２及びＳ１３で仮に求められた最高血圧値及び最低血圧値の適否を上記の通り判断する。
【００６９】
ステップＳ１６において、求められた最高血圧値及び最低血圧値を表示部２２にｍｍＨｇ又はＰａ単位で表示する。表示部２２には脈拍、脈圧等の付帯情報を表示させてもよい。異常がある場合には所定のエラー表示をする。
【００７０】
このように、本実施の形態に係る血圧計１０によれば、血圧計測開始の初期時で第１空気袋３２及び第２空気袋３６が非加圧状態のときに、支持帯３４は第２空気袋３６を介して中に上腕が挿入されることによって拡径される。これにより、その状態において支持帯３４が単独で上腕を軽く圧迫していることになり、第１空気袋３２における加圧を迅速に行うことができ、エネルギー消費量も小さい。また、第２空気袋３６は支持帯３４によって挟持されていることから、その後の膨張量は小さくて済み、容量を低減して圧力センサ８６の信号を検出しやすい。
【００７１】
血圧計１０は、空気袋を巻き取る巻取機構が不要であって、簡便且つ廉価である。
【００７２】
本発明に係る血圧計は、上述の実施の形態に限らず、本発明の要旨を逸脱することなく、種々の構成を採り得ることはもちろんである。
【符号の説明】
【００７３】
１０…血圧計                                １２…腕帯
１４ａ…第１チューブ                        １４ｂ…第２チューブ
１６…本体                                  １８…加圧手段
２０…制御部                                ３０…ハウジング
３２…第１空気袋                            ３４…支持帯
３６…第２空気袋                            ７８…加圧ポンプ
８０…第１排気バルブ                        ８２…第２排気バルブ
８４…流路切換バルブ                        ８６…圧力センサ
８７…演算部                                ８８…シーケンス部
９０…結果判断部
【図１】
2010213959.tif 000003
【図２】
2010213959.tif 000004
【図３】
2010213959.tif 000005
【図４】
2010213959.tif 000006
【図５】
2010213959.tif 000007
【図６】
2010213959.tif 000008
【図７】
2010213959.tif 000009
【図８】
2010213959.tif 000010
【図９】
2010213959.tif 000011
【図１０】
2010213959.tif 000012